(57)【要約】【課題】回り止め防止部材の付設によって地盤改良深さが制限されず、取り扱いを容易とし、低コストで注入ホースのつれまわりを防止する。【解決手段】オイルチャック１２に連動して作動するシリンダ７によって駆動装置１１に付設したホースガイド８のホース固定部材５が作動して注入ホース４をホースガイドに８に固定する。このため、中空掘削軸１０の回転に伴ってスイベルジョイント１がつれまわりすることがなく、注入ホース４が中空掘削軸１０に巻き付かない。中空掘削軸１０の掴み替えの際は、オイルチャック１２の解放に連動してホース固定部材５が注入ホース４の固定を解除するので、注入ホース４に損傷を与えることなく掴み替え作業を実施できる。【選択図】 図１
2008248502.tif 000002
【特許請求の範囲】
【請求項１】
リーダに中空掘削軸を回転駆動する駆動装置が昇降可能に設けてあり、この駆動装置にブラケットを介してホース挿通孔を有するホースガイドが取り付けてあり、ホースガイドにホース固定装置が設けてあり、ホース固定装置が中空掘削軸の駆動装置のオイルチャックの開閉動作に連動して作動するホース回り止め装置。
【請求項２】
リーダに中空掘削軸を回転駆動する駆動装置が昇降可能に設けてあり、この駆動装置にブラケットを介してホース挿通孔を有するホースガイドが取り付けてあり、ホースガイドの一端部にウエイトが設けてあり、他端にホース固定リングが設けてある固定装置が回転可能に取り付けてあり、ホース保持シリンダが固定装置に設けてあり、ホース保持シリンダのピストンが中空掘削軸の駆動装置のオイルチャックの開動作に連動してホース保持の開放状態を維持するホース回り止め装置。
【請求項３】
請求項２において、ブラケットの長さ及びウエイトの重さが変更可能であるホース回り止め装置。
【請求項４】
請求項２〜３のいずれかにおいて、オイルチャック及びホース保持シリンダを駆動する油圧回路にダブルパイロットチェッキバルブが設置してあり、ホース保持シリンダのピストンの作動位置が、オイルチャックが締め操作されるまで保持されるホース回り止め装置。
【発明の詳細な説明】
【技術分野】
【０００１】
本発明は、地盤を掘削しながら地盤改良剤を注入する地盤改良装置等において、地盤改良剤を中空掘削軸に供給するためにスイベルを介して接続されているホースが、中空掘削軸等と共に回転することを防止するホース回り止め装置に関する。
【背景技術】
【０００２】
図５に示すように、地盤改良装置は、移動可能なベースマシン９０にリーダ９１が付設され、このリーダ９１に中空掘削軸１０を回転駆動する駆動装置１１が昇降可能に設けられている。中空掘削軸１０の先端部には掘削歯９２及び撹拌羽根９３が設けてあり、上端頭部にはスイベルジョイント１が設けてあり、地盤改良剤を供給する注入ホース４が連結されている。中空掘削軸１０が回転して地盤を掘削し、地盤改良剤を中空掘削軸１０の先端から吐出させながら土砂と地盤改良剤を撹拌混合して地盤を補強するものである。
注入ホース４が中空掘削軸１０の上端に設けたスイベルジョイント１を介して接続されているが、中空掘削軸１０の回転に伴ってスイベルジョイントがつれまわりし、注入ホースが中空掘削軸１０に巻き付き、注入ホース４が破損してしまうことがある。
【０００３】
注入ホース４の巻き付きを防止するため、特許文献３（特開平７−２３３５２４号公報）には、回り止め部材が記載されている。これは、図４に示すように、駆動装置１１から上方に延びる回り止め部材１０１を設けてつれまわりを防止するものである。この回り止め部材１０１は、伸縮自在な多段式のロッドからなり、中空掘削軸１０に平行に設けられ、上端部にスイベルジョイント１に連結するアームを設け、スイベルジョイント１を駆動装置１１に対して固定することによって注入ホース４が中空掘削軸１０の回転に伴って回転するつれまわりが起きないようにしたものである。地盤改良深度が深い場合、リーダ９１より長い中空掘削軸１０を使用するが、回り止め部材１０１を延長させることによって対応することができ、掘削の進行に伴って中空掘削軸１０が地中に進入していくと、駆動装置１１とスイベルジョイント１の間の距離が短くなるので、回り止め部材１０１を短縮させて対応する。
【０００４】
地盤改良をおこなう深度が浅い場合には、リーダに取り付けた回り止め部材の長さはあまり長くならないが、地盤改良深度が深い場合、中空掘削軸を長くしなければならず、リーダの先端よりかなり上方にスイベルジョイントが位置することとなり、この飛び出し長さに対応した長さの回り止め部材が必要となり、回り止め部材が受けるモーメントも大きくなるので大掛かりな装置となってしまい、費用が嵩むこととなる。
【０００５】
【特許文献１】特開２００４−０９２３０２号公報
【特許文献２】特開２００２−１６７７４７号公報
【特許文献３】特開平７−２３３５２４号公報
【発明の開示】
【発明が解決しようとする課題】
【０００６】
伸縮式の回り止め部材をスイベルジョイントに連結する方法の場合、費用がかかると共に、改良深さが回り止め部材の長さで規制され、地盤改良作業の効率が低下する。更に、回り止め部材の重量がかなりのものとなり、地盤改良装置の重心を高くするので地盤改良作業時の安定性を低下させ、地盤改良装置が転倒するなどの事故が起きる可能性が高くなるので好ましくない。
逆に、地盤改良範囲が浅い場合は、回り止め部材は不要であり、かえって作業の邪魔になるという問題があった。
図５に示すように、作業員が注入ホースを押させる方法は、単純で確実ではあるが、人件費がかかり、地盤改良施工のコストアップとなるので好ましくない。
本発明は、従来の装置のように回り止め部材によって地盤改良深さが制限されることなく、また、取り扱いが容易であり低コストで注入ホースのつれまわりを防止するものである。
【課題を解決するための手段】
【０００７】
リーダに中空掘削軸を回転駆動する駆動装置が昇降可能に設けてあり、この駆動装置にブラケットを介してホース挿通孔を有するホースガイドが取り付けてあり、ホースガイドにホース固定装置が設けてあり、ホース固定装置が中空掘削軸の駆動装置のオイルチャックの開閉動作に連動して作動させ、注入ホースを中空掘削軸に対して固定するようにしたものである。
また、リーダに中空掘削軸を回転駆動する駆動装置が昇降可能に設けてあり、この駆動装置にブラケットを介してホース挿通孔を有するホースガイドが取り付けてあり、ホースガイドの一端部にウエイトが設けてあり、他端に固定リングが設けてある固定装置が回転可能に取り付けてあり、ホース保持シリンダが固定装置に設けてあり、ホース保持シリンダのピストンが中空掘削軸の駆動装置のオイルチャックの開動作に連動して上昇（又は下降）するようにしたものである。
【発明の効果】
【０００８】
本発明は、構造が単純で小型でコストが安価であり、また、作業の邪魔にならず、重量が軽いので地盤改良装置の重心をあげることもなく、安定した状態で地盤改良の運転をおこなうことができる。
また、従来の伸縮式の回り止め部材ガイド式では、最大長さが回り止め部材の長さに規制されて固定されてしまうため、それ以上の深さの地盤改良をおこなう場合、作業員が注入ホースを手で保持するしかないが、本発明は、最大改良深度に応じてウエイトの重さを変更すること、注入パイプ、連結ブラケットにスペーサを追加することによって長さを調整し、中空掘削軸の回転中心からの距離を調整することにより幅広い改良深度に適応できるという利点を有している。
【発明を実施するための最良の形態】
【０００９】
実施例１
図１に示すように、中空掘削軸１０は、駆動装置１１に挿入され、オイルチャック１２によって固定されて回転駆動される。中空掘削軸１０の頭部にはスイベルジョイント１が設けてあり、固定用ブラケット３を介して地盤改良剤の注入パイプ２が固定してあり、この注入パイプに注入ホース４が連結されている。
注入ホース４は、駆動装置１１の側部に固定した連結ブラケット９の先端部に設けた筒状のホースガイド８の孔８１に通してあり、地盤改良剤供給装置（図示しない）まで延びている。ホースガイド８の孔の上下の内縁は面取りしてあり、注入４ホースに損傷を与えないようにしてある。
【００１０】
ホースガイド８の上部にホース固定部材５が設けてあり、シリンダ７等のアクチュエータの作動によって注入ホース４が把持固定及び解放される。アクチュエータのシリンダ７に油圧を供給する回路は、図３に示すように駆動装置１１のオイルチャック１２の油圧供給回路に対して並列に設けてあるので、シリンダ７はオイルチャック１２と連動して駆動され、掘削作業をおこなうためにオイルチャック１２を締めて中空掘削軸を駆動回転できるようにすると、注入ホース４は固定される。保持シリンダ７の手前側にダブルパイロットチェッキバルブ１６が設けてあるので、オイルチャック１２が開状態になっても、締め油圧操作をおこなうまで開状態が保持され、注入ホース４の固定は解除された状態が維持され、注入ホース４に負荷を与えることなく自由に所定の位置に駆動装置１１を移動させることが可能であり、中空掘削間の掴み替えを迅速におこなうことができる。
【００１１】
実施例２
図１に示すように、中空掘削軸１０は、駆動装置１１に挿入され、オイルチャック１２によって固定されて回転駆動される。中空掘削軸１０の頭部にはスイベルジョイント１が設けてあり、固定用ブラケット３を介して地盤改良剤の注入パイプ２が固定してあり、この注入パイプに注入ホース４が連結されている。
注入ホース４は、駆動装置１１の側部に固定した連結ブラケット９の先端部に設けた筒状のホースガイド８の孔８１に通してあり、地盤改良剤供給装置（図示しない）まで延びている。ホースガイド８の孔の上下の内縁は面取りしてあり、注入４ホースに損傷を与えないようにしてある。
【００１２】
ホースガイド８の上部にはブラケットが設けてあり、ホース固定部材５がブラケットにピン８２で固定され、このピン８２を中心にして回転可能である。ホース固定部材５には注入ホース４が挿通される固定リング５１が一端側に設けてあり、固定リング５１はホースガイド８の孔８１の上部に位置するように配設される。ホース固定部材５の他端にはウエイト６が設けてあるので、ホース固定部材５は、このウエイト６の重量によって常にピン８２を中心に反時計回りのモーメントが作用し、固定リング５の軸がホースガイド８の孔８１の垂直な軸線に対して傾斜した状態となっている。
【００１３】
固定リング５１は、垂直に対して傾斜することによって固定リング５１の内壁がウエイト６によるホース固定部材５の回転力によって注入ホース４の表面に押し付けられ、摩擦力によって注入ホース４が固定される。
ホースガイド８の側壁部には注入ホース保持シリンダ７が設けてあり、その上部にはピストン７１がホース固定部材５の下側に位置するように固定してあり、油圧駆動によってピストン７１が伸びるとホース固定部材５を押し上げて時計回りに回転させ、固定リング５１の軸を垂直にして注入ホース４の固定を解除する。
【００１４】
保持シリンダ７に油圧を供給する回路は、図３に示すように駆動装置１１のオイルチャック１２の油圧供給回路に対して並列に設けてあるので、保持シリンダ７はオイルチャック１２と連動して駆動される。更に、保持シリンダ７の手前側にダブルパイロットチェッキバルブ１６が設けてあるので、オイルチャック１２が開状態になると、締め油圧操作をおこなうまで開状態が保持され、保持シリンダ７のピストン７１は延びた状態で保持され、ホース固定部材を押し上げた状態に保持する。従って、注入ホース４の固定は解除された状態が維持され、注入ホース４に負荷を与えることなく自由に所定の位置に駆動装置１１を移動させることができる。オイルチャック１２の閉め油圧操作によって保持シリンダ７のピストンは縮んで固定リング５１を押し上げ力が解放され、ホース固定部材５はウエイト６の力によってピンを中心に反時計方向に回転して傾斜状態となり、固定リング５１が注入ホースに押し付けられて注入ホース４が固定される。
【００１５】
地盤改良装置が掘削状態の時は、図１に示すように保持シリンダ７のピストン７１は縮んだ状態であり、ホース固定部材５は、ウエイト６の重量によってピン８２を中心に回転してホースガイド８に対して傾斜し、固定リング５１の周壁が注入ホース４を挟み込み、注入ホース４が固定保持されるので中空掘削軸１０に対して固定される。従って、中空掘削軸１０の回転に伴ってスイベルジョイント１が中空掘削軸の回転につれまわりすることがなく、注入ホース４が中空掘削軸１０に巻き付くことがない。
【００１６】
最大改良深度に応じて注入ホース４が長くなり重量が増すので、ウエイト６の重さを変更して対応する。また、注入パイプ２、連結ブラケット９にスペーサを追加することによって長さを調整し、中空掘削軸１０の回転中心からの距離を調整することにより改良深度に対応させる。
【００１７】
掘削が進行して中空掘削軸１０の掴み換えをする時は、図３の油圧回路図に示すように、掴み換えするためにオイルチャック１２を解放して開状態とすると、保持シリンダ７はこの操作に連動して保持シリンダ７のピストン７１が伸びてホース固定部材５を押し上げる。すると、図２に示すように、ホース固定部材５が押し上げられて時計回りに回転し、固定リング５１の軸線が垂直となって注入ホース４の固定が外れ、注入ホース４が固定リング５１内を自由に移動できる状態となる。
【００１８】
ダブルパイロットチェッキバルブ１６によってオイルチャック１２の開状態は、保持され、保持シリンダ７のピストン７１は延びた状態で保持されるので注入ホース４に負荷を与えることなく自由に所定の位置に駆動装置を移動させることができる。駆動装置１１をリーダ９１に沿って上昇させ、オイルチャック１２の閉め油圧操作をおこなうと、保持シリンダ７のピストン７１は縮んでホース固定部材５を押し上げている力が解放され、ホース固定部材５はウエイト６の重量によって反時計方向に回転して図１に示す傾斜状態となり、注入ホース４が固定される。
地盤改良装置を例にして本発明のホース回りとめ装置を説明したが、本発明は地盤改良装置に限らず、スイベルを使用した掘削機に適用することができる。
【図面の簡単な説明】
【００１９】
【図１】本発明のつれまわり防止装置の実施例の正面図。
【図２】本発明のつれまわり防止装置の他の実施例の注入ホース固定時の説明図。
【図３】本発明のつれまわり防止装置の他の実施例の注入ホース解放時の説明図。
【図４】ホース保持シリンダの油圧回路図。
【図５】従来のつれまわり防止装置の一例の説明図。
【図６】従来の人力によるつれまわり防止装置の説明図。
【符号の説明】
【００２０】
１    スイベルジョイント
２    注入パイプ
３    固定用ブラケット
４    注入ホース
５    ホース固定部材
５１  固定リング
６    ウエイト
７    ホース保持シリンダ
８    ホースガイド
１０  中空掘削軸
１１  駆動装置
１２  オイルチャック
８２  ピン
９    連結ブラケット
９０  ベースマシン
９１  リーダ
【図１】
2008248502.tif 000003
【図２】
2008248502.tif 000004
【図３】
2008248502.tif 000005
【図４】
2008248502.tif 000006
【図５】
2008248502.tif 000007
【図６】
2008248502.tif 000008